(57)【特許請求の範囲】
【請求項１】
ビデオ装置のためのスイッチング網を制御する制御パネルであって、
前記制御パネルへのスイッチング指示を与える装置を備え、前記装置は、
操作モジュールと、
前記制御パネルに接続するための第１のインタフェースと前記操作モジュールに接続するための第２のインタフェースとを有する制御モジュールと、
を備え、
前記操作モジュールは前記第２のインタフェースを介して前記制御モジュールに接続するための第３のインタフェースを有し、
前記操作モジュールは、前記操作モジュールの状態を表す並列データを受け取る並列−直列シフトレジスタを含み、前記制御モジュールにデータを連続的に出力することを特徴とする制御パネル。
【請求項２】
上記操作モジュールと上記制御モジュールは、それぞれのインタフェースが直接接続するよう配置される請求項１記載の制御パネル。
【請求項３】
前記操作モジュールが表示手段を駆動するためのデマルチプレクサを含む前記装置を有する請求項１記載の制御パネル。
【請求項４】
前記装置において、前記操作モジュールの並列−直列シフトレジスタが、前記第３のインタフェースを通じて前記制御モジュールへシリアル出力するためのパラレルデータの一部として前記操作モジュールの識別コードをさらに受け取ることを特徴とする請求項１記載の制御パネル。
【請求項５】
前記装置において、前記制御モジュールは、前記ビデオ装置のためのスイッチング網を駆動する前記第１のインタフェースを含み、前記制御モジュールは、制御データを発生させるプロセッサ及びメモリと、ディスプレイ素子の制御データを直列データストリームに結合させる並列−直列変換器と、をさらに含む請求項１記載の制御パネル。
【請求項６】
前記装置において、前記操作モジュールは、それぞれのスイッチが一体化して対応する液晶ディスプレイを有する複数のスイッチを含み、前記操作モジュールの状態はスイッチの状態として表される請求項１記載の制御パネル。
【発明の詳細な説明】
【０００１】
【発明が属する技術分野】
本発明は、ビデオ装置のための制御パネルに係る。
【０００２】
【従来の技術】
ビデオ装置のための制御パネルは、一般的に例えばユーザが制御パネルを用いてスイッチ操作をトリガするために使用する制御素子、ユーザに命令するための表示素子、及び例えばルータやミキサのような制御される装置が接続可能な少なくとも一つのインタフェースとを含む。制御パネルは、ビデオ装置と制御パネル間で選択されるインタフェースに依存して、制御される装置の付近に制御パネルがない間にセットアップされる。
【０００３】
【発明が解決しようとする課題】
本発明の目的は、周知のビデオ装置のための制御パネルと比べて、フレキシビリティの高い制御パネルを提供することである。
【０００４】
【課題を解決するための手段】
この目的は、少なくとも一つの制御モジュール及び操作モジュールを含み、上記制御モジュールは制御パネルに接続するための第１のインタフェースと上記操作モジュールに接続するための少なくとも一つの第２のインタフェースを有し、上記操作モジュールは上記制御モジュールに接続するための少なくとも一つのインタフェースを有する制御パネルにより達成される。
【０００５】
制御パネルを、インタフェースを介して互いに通信可能な少なくとも二つのモジュールサブアセンブリに分割することにより、各モジュールのハウジングの寸法は、各モジュールに含まれる素子に合わせることが可能である。これによって、非常に平らで薄い操作モジュールを形成することが可能であり、小さな組込み深さを有するハウジングにも組込むことが可能である。操作素子の動作を評価し、表示素子を駆動させる制御モジュールは、操作モジュールからインタフェースが離れているため、その組込み深さが重要でない位置で組込むことが可能である。
【０００６】
請求項２に記載される有利な実施例では、制御モジュール及び操作モジュールは、直接、すなわち間にケーブルを使用することなく接続可能である。制御モジュール及び操作モジュールは、例えばネジとそれに対応するネジ止めのような留め具を使用できる発展性を有することが好適であり、そのような装置は機械的に接続、離脱可能である。
【０００７】
この装置は、制御モジュール及び操作ラックも更に機械的装置として組込み可能なので有利である。これにより例えば更なるモジュールを交換及び追加するときの作業が容易になる。
【０００８】
請求項３記載の操作モジュールの実施例では、操作モジュール内にほとんど電子構成素子が必要ではなく、結果として体積はほとんど増加しない。一方で、必要なインタフェースのラインの本数は劇的に減少する。
【０００９】
請求項４記載の操作モジュールの実施例では、操作モジュール（例えば異なる個数の操作素子）が様々に配置されていても、制御モジュールは制御モジュールの認識コードによって適応可能なので、常に同じ制御モジュールが使用できる。
【００１０】
請求項５記載の制御モジュールの実施例では、請求項３記載の操作モジュールを構成可能にする。
【００１１】
【発明の実施の形態】
本発明は図示される実施例を参照し、以下に詳細に説明する。
【００１２】
図１は、本発明をルータと呼ばれる例によって示す。ルータはデジタルスイッチング網１を含み、入力１０、１１、１２、１３、及び１４に接続可能な信号供給源は、出力１５、１６、１７、１８、及び１９に接続可能な信号供給源に選択的に接続可能である。ルーティングされる信号はビデオ信号及び無線信号の両方である。制御パネル２は、モジュール３からそれぞれの切替え命令を受信し、上記切替え命令に従ってデジタルスイッチング網１を制御する。
【００１３】
実施例では、制御パネルは、複数のモジュール３の対を含む。最も簡単な構成の段では、制御パネルは単一のモジュール３の対を有する場合もある。モジュール３の各対はLCディスプレイ、記号、例えばメニュー駆動の矢印、信号供給源や信号源を示すための英数字符号の操作モジュール３１の形をなす。３６×２４ピクセルの、好ましくは各６つの英数字符号のある３行ディスプレイ、各４つの英数字符号のある２行ディスプレイ若しくは各２つの英数字符号のある１行ディスプレイが実現される。例えば２行ディスプレイの場合、その第１の行は信号供給源を含み、第２の行は信号源を含む。様々な色の発光ダイオードによりLCディスプレイのバックライトは、様々な色が与えられる。例えば、それぞれディスプレイに示される信号供給源及び信号源がまだ接続されていないことは、緑色のバックライトによって示される。それぞれのキーを押すことによって、信号供給源と信号源は接続され、赤色のバックライトによって接続の合図が出される。
【００１４】
各キーに与えられている機能が変更可能な操作メニューが１７番目のキーによって呼び出される。
【００１５】
操作モジュール３１は、機械構成素子のみならず、集中LCディスプレイと集中バックライト及び他のインタフェースと識別するために後に操作インタフェースと呼ばれるインタフェースとを有する、市販されているプッシュボタンを含む。これらの集中LCディスプレイと集中バックライトを有する市販のプッシュボタンは、既に駆動のための集中電子機器（ディスプレイ及びバックライトは直列データワード）を有するので、操作モジュールは完全に電子機器が無い場合もある。しかし、これは操作インタフェースが多数の並列端末を有するべきであるという事実に導く。
【００１６】
図２は、構成素子の費用（要求される体積）とインタフェースラインの本数との折衷案を示し、本実施例ではこの折衷案が好適である。各プッシュボタンＳＷ１乃至ＳＷ１６、操作メニューを呼び出すためのプッシュボタンＳＷ１７及び操作モジュールを認識するための７ビットワイヤコードIDの状態は、２４の入力を有するシフトレジスタＳＲによって直列データストリームＳＷＩＴＣＨ＿ＤＡＴＡに組合わされる。これにより、３本の信号線のみが必要となる。シフトレジスタＳＲのデータ出力Ｓ＿ＯＵＴに接続されるデータラインＳＷＩＴＣＨ＿ＤＡＴＡ、シフトレジスタＳＲをロードするための制御ラインＳＷＩＴＣＨ＿ＬＯＡＤ、及びシフトレジスタＳＲを直列的に読取るクロックラインＳＷＩＴＣＨ＿ＣＬＯＣＫである。ＬＣディスプレイを駆動させるための直列データストリームは、プッシュボタンＳＷ１乃至ＳＷ１６の各データ入力ＤＡＴＡにデマルチプレクサＤＥＭＵＸによって分配される。１６個のＬＣディスプレイがあるので、デマルチプレクサＤＥＭＵＸはクロックラインＳＷＩＴＣＨ＿ＣＬＯＣＫによって制御される。これにより、プッシュボタンＳＷ１乃至ＳＷ１６を駆動するには６本の信号ラインのみが必要となる。更に、図示されない電源ラインも有る。デマルチプレクサＤＥＭＵＸとシフトレジスタＳＲは、明瞭さを妨げないために独立した構成素子として示す。しかし、これによってこの構成素子に関して、本発明は何も制限しない。実際には、デマルチプレクサは２つの同一のデマルチプレクサモジュールから成り、シフトレジスタは３つの同一で別々のシフトレジスタから成る。時間が経つに連れて市場で購買できる構成素子が更に多く供給されているので、入手可能な構成素子の中からそれぞれの適当な構成素子を選択することは当業者に任せられる。
【００１７】
電子構成素子としての操作モジュール３１は、ＬＣディスプレイを駆動させるデマルチプレクサＤＥＭＵＸと、プッシュボタンの切替え状態を組合わせるシフトレジスタＳＲに制限されるので、操作モジュールの寸法は、本質的には、操作及び表示素子によってのみ予め決められる。
【００１８】
操作モジュール３１では、操作インタフェースはプラグ３４として配置される。制御モジュールはこれに対応する操作インタフェースを有し、ソケット３５のように配置される。これにより、操作モジュール３１及び制御モジュール３２は互いに直接、つまり電線３６を引くことなく接続される。制御モジュール３２は、モジュール３の対を枠内の機械的装置として組込むべく、操作モジュール３１のハウジングに具備される留めネジ（ナット）を押すため、２つのネジで着脱自在に連結される。制御モジュール３２の高さは、一つのモジュールの下にもう一つのモジュールを、空間を置くことなく複数収容できるように、操作モジュール３１の最大の高さに対応することが好適である。操作モジュール３１が、例えばデスクトップハウジングのような平たいハウジングに組込まれる場合、上記ネジは取り除かれ、操作モジュールと制御モジュールはそれぞれのプラグとソケットを有するケーブル３６によって接続される。図示される操作インタフェースの装置では、操作モジュール３１と制御モジュール３２は１ｍまで離間可能なよう組込まれる。これは考慮しているアプリケーションに適している。当然、より大きい距離でも、更なる駆動モジュールなどによってブリッジされる場合もある。
【００１９】
制御モジュール３２は、本質的に、プロセッサμＰ、例えば示されるデータ供給源とデータ源の名前や命令データのような様々なデータを受信するための揮発性及び不揮発性メモリＲＡＭ、ＲＯＭを含む。例えばプッシュボタンＳＷ１乃至ＳＷ１７の切替え状態を含むシフトデータワードによって実現され得る、直列−並列変換器Ｓ／Ｐによって、プロセッサμＰは、以下制御パネルインタフェース３７と呼ばれる更なるインタフェースを介して制御パネル１２に送信される対応する制御命令を発生させる。
【００２０】
読取られた識別コードＩＤを使用することによって、プロセッサは操作モジュールの異なる構造を識別することが可能になり、それを制御パネル２に伝達する。これにより、制御パネル２は操作モジュールがどれだけあるか、また実際に制御パネルはどの操作モジュールから構成されるのかを検出することが可能になる。これによって、制御パネルを容易な方法で取り除くことが可能になり、従って新しい若しくは他のモジュールの対を追加若しくは除去することが可能になる。メニューを制御するためには、１６よりも少ないキーが必要になる。次に、より少ないキーを有する操作モジュールを備え付けることも可能であり、操作モジュールは他の機能を選択的に合図する。識別に基づいて、プロセッサμＰはどの操作モジュールが専用メニューキーボードに使用されるべきであるかを認識する。この方法では、ユーザによる誤った構成が防げるのでユーザフレンドリーである。
【００２１】
制御パネルインタフェースを介して、制御パネル２から受信される情報は、ＬＣディスプレイを駆動させるため制御モジュール３２のプロセッサμＰによって、操作モジュールに関して説明した多重化データストリームに変換される。この目的のために、ＬＣディスプレイを駆動させるためのそれぞれのデータは、データバスＤＡＴＡから読取られ、プロセッサμＰによって適宜に駆動されるバッファメモリＬＡＴＣＨ、ＤＵＡＲＴの形である並列−直列変換器を用いて上記直列データストリームに結合される。
【００２２】
制御モジュール３２から制御パネル２へのデータの送信、返信には専用プロトコルが使用される。制御パネルインタフェース３７は、ＲＳ−４８５インタフェースとして配置され、制御パネルと制御装置が１２００ｍ離間してセットアップ可能になる。制御モジュール３２は２つの制御パネルインタフェース３７を有することが好適であり、従って複数の制御モジュールが容易にカスケードされる。これにより、操作モジュールもカスケードされ、操作モジュールは互いに下になるように配置されると仮定する。
【００２３】
これによって、ユーザへの命令が容易になる場合がある。一つ以上の操作モジュールが選択可能な信号供給源及び信号源を示し、例えば一番下の操作モジュールのような操作モジュールは制御命令のみを入力するために取っておくことが可能である。信号供給源に割り当てられるプッシュボタンと、信号源に割り当てられるプッシュボタンを互いに直後に作動させると、このように選択される信号供給源及び信号源は、互いに割り当てられる。オペレータへの命令は、行ごとにディスプレイがスクロール可能なように配置される。
【００２４】
例えば市場で購買できるハードドライブを有するパーソナルコンピュータのようなメモリモジュール４では、異なる構造を設定させ、記録することが可能である。モジュールの対のスイッチがオンにされた場合、モジュールの各対のプロセッサは、メモリモジュール４の制御パネル２を介して最近に利用された構造を、命令を介して検索する。次に、記録された他の構造はメニュー命令によってロードされる場合もある。制御パネル２とパーソナルコンピュータの接続は、ネットワークによって接続されることが好適である。
【図面の簡単な説明】
【図１】信号ルータと組合される本発明のモジュール制御パネルを示す図である。
【図２】操作モジュールのスイッチングを示す図である。
【図３】制御モジュールのスイッチングを示す図である。
【符号の説明】
１  スイッチング網
２  制御パネル
３  モジュール
４  メモリモジュール
１０、１１、１２、１３、１４  入力
１５、１６、１７、１８、１９  出力
３１  操作モジュール
３２  制御モジュール
３４  プラグ
３５  ソケット
３６  電線
３７  制御パネルインタフェース
ＤＥＭＵＸ  デマルチプレクサ
ＩＤ  識別コード
ＬＡＴＣＨ、ＤＵＡＲＴ  バッファメモリ
ＲＡＭ  揮発性メモリ
ＲＯＭ  不揮発性メモリ
ＳＰ  直列−並列変換器
ＳＲ  シフトレジスタ
ＳＷ  プッシュボタン
ＳＷＩＴＣＨ＿ＣＬＯＣＫ  クロックライン
ＳＷＩＴＣＨ＿ＤＡＴＡ  直列データライン
ＳＷＩＴＣＨ＿ＬＯＡＤ  制御ライン
μＰ  プロセッサ
【図１】
0004991044.tif 000002
【図２】
0004991044.tif 000003
【図３】
0004991044.tif 000004